(57)【要約】 【課題】  壁面に保持する道具の位置を容易に変更することができ、また、その向きも容易に変更することができるができるようにして、バケットなどのような環境でも快適な作業を実現する保持装置を提供することを目的とする。【解決手段】  防護管１０４をＵ字部材４１内に収装して支持する支持装置１３が先端部に連結された絶縁棒１２を保持する保持装置１１であって、絶縁棒１２を取り付ける取付台１５と、この取付台１５を頂部に設置された三脚１４とを備えて、三脚１４は、二脚の端部にバケット１００の壁面１０１上部の両面に対面させてその縁１０１ａに容易に係合させることのできる係合装置１６が設けられるとともに、他の一脚はその壁面１０１の側面に突っ張らせることにより、立てた状態でバケット１００に簡易に設置することができる。【選択図】      図１
2005261109.tif 000002
【特許請求の範囲】
【請求項１】
壁面に設置する設置部と、該設置部に取り付けられて道具を支持する支持部とを備えて、壁面から離隔する位置に所望の機能を有する道具を保持する保持装置であって、
設置部は、頂部に支持部が取り付けられて壁面に立てられる三脚と、該三脚の一脚または二脚に設けられて壁面上部の縁に係合する係合部材と、を有することを特徴とする保持装置。
【請求項２】
前記設置部は、係合部材が壁面上部の両面側に対面して、該壁面上部の縁に係合することを特徴とする請求項１に記載の保持装置。
【請求項３】
前記三脚は、各脚間の拡開角度を自由に変更可能であることを特徴とする請求項１または２に記載の保持装置。
【請求項４】
前記三脚のうちの少なくとも一脚以上が自由に長さを変更可能であることを特徴とする請求項１から３のいずれかに記載の保持装置。
【発明の詳細な説明】
【技術分野】
【０００１】
本発明は、保持装置に関し、詳しくは、所望の機能を有する道具を壁面の外方に保持すると共に、その保持する姿勢を容易に変更することのできるものに関する。
【背景技術】
【０００２】
従来より、工事などの作業中に、電線に触れて感電したり、電線自体を損傷してしまうことを防止するために、工事などを行う前に電線に防護管を被せることが行われている。この防護管は、電線が高架されていることから、バケットなどに作業員が乗って防護管脱着装置を用いて電線に装着するのが一般的であり、この防護管脱着装置は、作業者との間の絶縁性を確保しつつ、電力を供給している電線に防護管を装着する必要があることから、絶縁性の確保されている操作棒の先端に装置本体が取り付けられている（例えば、特許文献１、２参照）。
【０００３】
また、この防護管は、防護管脱着装置により脱着させるにしても、電線から離隔する反対側を支持しなければ自重により垂れた状態となって、作業の妨げになってしまう。このことから、操作棒と同様に絶縁性の確保されている絶縁棒（支持棒）の先端部にフックを設けて、その防護管脱着装置の反対側で防護管を支持することが行われている。このような操作棒や絶縁棒は、作業員の負担にならないように、バケットに設置された装置に取り付けるのが一般的である（例えば、特許文献３参照）。
【特許文献１】特開２０００−１９７２２５号公報
【特許文献２】特開２００３−  ４７１１５号公報
【特許文献３】特開２０００−  ９５４８４号公報
【発明の開示】
【発明が解決しようとする課題】
【０００４】
このような従来の保持装置にあっては、防護管を支持するだけであることから、文献３に記載されているほどの装置を用いなくてもよい。例えば、図１０に示すように、バケット１００の側壁（壁面）１０１の縁に強固に固定した部材１０２に、絶縁棒１０３を取り付けて防護管１０４を支持させるようにしてもよい。この場合にも、電線に向けて送り出す防護管１０４をその絶縁棒１０３のフック１０３ａで支持したり、その電線から外した防護管１０４をフック１０３ａで受け取って支持することができ、防護管１０４の脱着作業を補助することができる。なお、この固定部材１０２は、外方に伸びて防護管１０４を支持する絶縁棒１０３を１箇所で保持しなければならないことから、簡単には脱落しない機構によりバケット１００の側壁１０１に取り付けられている。
【０００５】
しかしながら、このような絶縁棒１０３は、いずれにしても、バケット１００の決まった位置に固定されてしまい、脱着する防護管１０４の向きに応じて絶縁棒１０３の位置を変える作業が面倒である。このために、無理やり防護管１０４の脱着作業を行って、結果的に効率が悪いまま作業してしまう場合がある。
【０００６】
また、バケット１００において行う作業は、防護管１０４の脱着作業だけではないことから、その固定部材１０２や絶縁棒１０３が邪魔になることがある。しかし、この固定部材１０２を外すことは面倒であり、また、固定部材１０２や絶縁棒１０３を狭いバケット１００内に片付けるのは難しいことから、そのまま作業せざるを得ない場合もある。
【０００７】
そこで、本発明は、壁面に保持する道具の位置を容易に変更することができ、また、その向きも容易に変更することができるができるようにして、バケットなどのような環境でも快適な作業を実現する保持装置を提供することを目的とする。
【課題を解決するための手段】
【０００８】
上記課題を解決する保持装置の第１の発明は、壁面に設置する設置部と、該設置部に取り付けられて道具を支持する支持部とを備えて、壁面から離隔する位置に所望の機能を有する道具を保持する保持装置であって、設置部は、頂部に支持部が取り付けられて壁面に立てられる三脚と、該三脚の一脚または二脚に設けられて壁面上部の縁に係合する係合部材と、を有することを特徴とするものである。
【０００９】
この発明では、壁面上部の縁に三脚のうちの一脚または二脚を係合させて、その三脚を壁面に立たせる状態にするだけで、支持する道具を壁面の外方に保持することができ、また、壁面に三脚（離隔する三箇所）で立つことから、強固に係合させる必要はない。したがって、壁面上部の縁に簡単に設置することができるとともに、簡単に外したり、壁面に立たせる位置を容易に変更することができる。
【００１０】
上記課題を解決する保持装置の第２の発明は、上記第１の発明の特定事項に加え、前記設置部は、係合部材が板状の壁面上部の両面側に対面して、該壁面上部の縁に係合することを特徴とするものである。
【００１１】
この発明では、壁面上部の両面に対面するだけでその縁に係合することから、上方に持ち上げるだけで異なる位置に移動して、再度係合させることができる。したがって、壁面の上部の縁から簡単に外したり、位置を変更して作業を行うことができる。
【００１２】
上記課題を解決する保持装置の第３の発明は、上記第１または第２の発明の特定事項に加え、前記三脚は、各脚間の拡開角度を自由に変更可能であることを特徴とするものである。
【００１３】
この発明では、三脚の拡開角度を変えるだけで、壁面に立つ三脚の高さを変更することができる。したがって、壁面から離隔する道具の支持位置までの距離を容易に変更することができる。
【００１４】
上記課題を解決する保持装置の第４の発明は、上記第１から第３のいずれかの発明の特定事項に加え、前記三脚のうちの少なくとも一脚以上が自由に長さを変更可能であることを特徴とするものである。
【００１５】
この発明では、三脚のうちの一脚以上の長さを変えるだけで、道具を支持する向き（姿勢）を変更することができる。したがって、壁面から外方に向かう道具の向きを容易に変更することができる。
【発明の効果】
【００１６】
本発明によれば、強固に取り付ける必要のない三脚の一脚または二脚を壁面の上部の縁から簡単に外して支持する道具の位置を容易に変更することができ、また、その三脚の角度や長さを変えるだけで道具の位置や向きを容易に変更することができるので、作業の都合に応じて簡単に道具や保持装置が邪魔にならないようにすることができる。したがって、バケットなどのような作業環境でも快適に多種の作業を行うことができる。
【発明を実施するための最良の形態】
【００１７】
以下、本発明の最良の実施形態を図面に基づいて説明する。図１〜図９は本発明に係る保持装置の一実施形態を適用した補助具の一例を示す図である。
【００１８】
図１において、補助具１０は、作業員が乗り込んで高架されている電線付近の作業位置に行くためのバケット１００の側壁（壁面）１０１に取り付けて使用するものであり、例えば、工事を行う前の養生として、電線に防護管を被せる際に利用する。ここで、バケット１００内の作業員は、図２に示すように、操作棒１０５を把持してその先端部の防護管脱着装置本体１１０を操作することにより防護管１０４を電線Ｄに脱着する。詳しくは、防護管脱着装置本体１１０は、ガイド１１１が防護管１０４の脚部１０４ａの間に割り込んでタイヤ１１２が回転するようになっており、防護管１０４は、脚部１０４ａの間のガイド１１１を本体部１０４ｂの内面に押し付けられて案内されつつ、その防護管脱着装置本体１１０の後端側から先端側に送り出されて電線Ｄが内装されて装着される。また、その防護管１０４は、反対に、その電線Ｄに装着されている状態から防護管脱着装置本体１１０のガイド１１１が脚部１０４ａの間に割り込んでタイヤ１１２により先端側から後端側に引き出されることにより、電線Ｄから離脱される。このとき、補助具１０は、防護管脱着装置本体１１０が電線Ｄに着脱する防護管１０４の反対側を支持してその着脱作業を補助する。
【００１９】
補助具１０は、バケット１００の側壁１０１の側面に設置する保持装置１１と、電線Ｄに接触する防護管１０４との間の絶縁性を確保する絶縁棒（支持棒）１２と、防護管１０４を脱落させることなく自由に移動することができるように支持する支持装置１３と、を備えている。この補助具１０は、保持装置１１が絶縁棒１２の基端部を保持するとともに、その絶縁棒１２の先端部に支持装置１３を連結することにより、バケット１００から離隔する位置で防護管１０４を支持して、その防護管１０４の着脱作業を補助する。
【００２０】
保持装置１１は、図３に示すように、バケット１００の側壁１０１の側面に立てる姿勢で設置する三脚（設置部）１４と、この三脚１４の中心の頂部に設けられて絶縁棒１２を支持する取付台（支持部）１５とを備えている。この保持装置１１は、三脚１４のうちの二脚２１、２２の基端部（所謂、石突部）に設けられている係合装置１６をバケット１００の側壁１０１上部の縁１０１ａに係合させて取り付けるとともに、残りの一脚２３の基端部をその側壁１０１の側面に突っ張らせることにより、三脚１４の頂部の取付台１５の位置や姿勢を固定して、絶縁棒１２の先端部の支持装置１３を防護管１０４の支持位置に位置させる。
【００２１】
三脚１４は、各脚２１〜２３の間の拡開角度を自由に変更することにより、その各脚２１〜２３の基端部間の離隔間隔を自由に変えることができ、安定性を調整することができるとともに、バケット１００の側壁１０１からの取付台１５の離隔距離（高さ）や姿勢を調整することができる。また、この三脚１４は、各脚２１〜２３のロックナット２４を緩めて下脚部２５内に上脚部２６を挿脱して長さを自由に変更することができ、同様に、取付台１５の位置や姿勢を調整して、防護管１０４を支持する絶縁棒１２先端の支持装置１３の位置や向き（姿勢）を容易に変更（調整）することができる。
【００２２】
この三脚１４の係合装置１６は、バケット１００の側壁１０１上部の縁１０１ａに対面させるように載置する基盤（係合部材）３１と、この基盤３１の上面で不図示の縦回転軸を中心に回転可能に立設されるとともに頭部に設けられた水平回動軸３２ａを中心に二脚２１、２２の基端部を上下方向に回動可能に連結する連結部材３２と、基盤３１の両側に一体形成されてバケット１００の側壁１０１の両面に対面する対面部（係合部材）３３と、この側壁１０１の外面（側面）側の対面部３３に取り付けられてその側壁１０１の外面に向かって突出・後退するように螺合する螺合部材３４と、を備えている。
【００２３】
すなわち、三脚１４は、係合装置１６の基盤３１をバケット１００の側壁１０１の縁１０１ａに置いてその側壁１０１を対面部３３との間で締め付けるように螺合部材３４を操作するだけで、その側壁１０１の縁１０１ａに三脚１４のうちの二脚２１、２２（２箇所）を位置決め固定することができ、残りの一脚２３とともに協働して側壁１０１に立てることができる。逆に、この三脚１４は、係合装置１６の螺合部材３４を緩めるように操作して持ち上げるだけで、バケット１００の側壁１０１への固定位置を容易に変更することができるとともに、その側壁１０１から容易に外すことができる。なお、図３中の紐１４ａは、三脚１４の脚部２１〜２３のそれぞれに固設したリング１４ｂに通して長さを決めることにより、側壁１０１の縁１０１ａに固定されていない一脚２３が不用意に自由落下する方向に回動してしまうことを防止するものである。ただし、この紐１４ａは、自由な回動を制限する機構を三脚１４の取付台１５側に配設する場合には不要である。
【００２４】
また、三脚１４の取付台１５は、絶縁棒１２を取り付ける基盤３５と、この基盤３５を三脚１４の頂部に連結する連結部材３６とを備えている。基盤３５は、絶縁棒１２を締め付けて固定する締付具３５ａが上面の２箇所に設けられており、絶縁棒１２の基端部側を締付具３５ａに取り付けてバケット１００から離隔する場所にその絶縁棒１２の先端部側を位置させる。また、連結部材３６は、二脚２１、２２の先端部を上下方向に回動可能に軸支する回動軸３６ａと、他の一脚２３の先端部を同様に上下方向に回動可能に軸支する回動軸３６ｂと、回動軸３６ａの一脚２１、２２毎を別個に水平方向に回動可能に支持する支持板３６ｃと、回動軸３６ａ、３６ｂや支持板３６ｃに対して基盤３５を水平面内で回転可能にする回動円盤３６ｄとを備えており、基盤３５の上下方向の移動を回動軸３６ａ、３６ｂにより実現するとともに左右方向の移動を支持板３６ｃにより実現し、さらに、水平面内の回転を回動円盤３６ｄが実現している。
【００２５】
すなわち、取付台１５は、バケット１００に対して上下左右に自由に位置を変更することができるとともに水平面内で自由に回転することができ、取り付けた絶縁棒１２の位置や方向を変えて先端部の支持装置１３の位置や姿勢を変更（調整）することができる。
【００２６】
絶縁棒１２は、図４に示すように、全体をプラスチックなどの絶縁材料で作製されるとともに、作業員が把持する基端部側の把持部３７には絶縁性をより高めるための絶縁ゴムが被覆されている。また、この絶縁棒１２の先端部には、支持装置１３を連結するためのピン３８が外装側面に立設されている。なお、この絶縁棒１２には、先端側と基端側の２箇所に傘カバー３９ａ、３９ｂが取り付けられており、先端側の傘カバー３９ａが電線Ｄ（防護管１０４）側からの水分を滴下させるとともに、基端側の傘カバー３９ｂが安全に作業を行い得る限界位置を示して、操作する際の安全を確保している。
【００２７】
支持装置１３は、図５および図６に示すように、防護管１０４を収装可能に一体成形されているＵ字部材４１と、このＵ字部材４１を立てた姿勢に支持する支持部材４２と、この支持部材４２に設けられた連結アダプタ４３と、この連結アダプタ４３を絶縁棒１２の先端部に連結するための先端部アダプタ４４とを備えている。
【００２８】
Ｕ字部材４１は、防護管１０４の外径よりも幅広の間隔に離隔する一対の立部４１ａと、この立部４１ａを立てるように支持部材４２に支持される底部４１ｂと、を備えている。これにより、Ｕ字部材４１は、防護管１０４を立部４１ａ間に収装して底部４１ｂが受けて支持することができ、その立部４１ａが防護管１０４の両側方に立って脱落することを制限することができる。
【００２９】
支持部材４２は、Ｕ字部材４１の底部４１ｂに差し込んで回転可能に支持する縦回転軸４２ａと、この縦回転軸４２ａを回転自在にネジ止めするナット４２ｂと、Ｕ字部材４１の回転角を連結アダプタ４３の延在方向に対して正逆３０度づつに制限するピン４２ｃと、を備えている。これにより、支持部材４２は、連結アダプタ４３の延在方向に対して直交する向きの防護管１０４を、Ｕ字部材４１を立てた姿勢のまま収装可能に一定角度の範囲内で回転することができ、回転し過ぎて支持する防護管１０４の側面を押圧したり、受け取る防護管１０４の端部を衝止することがない。なお、支持部材４２は、ピン４２ｃを設けずに、縦回転軸４２ａの回転に多少の負荷を掛ける（所謂、渋くする）ことにして、Ｕ字部材４１が回転し過ぎないようにしてもよいことはいうまでもない。
【００３０】
連結アダプタ４３は、Ｕ字部材４１の立部４１ａの離隔方向と延在方向が平行になるように支持部材４２の側面に設けられた連結棒５１と、この連結棒５１の他端部（支持部材４２の反対側）に設けられた第１連結板５２とを備えている。この第１連結板５２には、他端側から中央部に向かって開口する切欠５２ａと、その一面側に突出して切欠５２ａの底部（中央部）から法線方向に延在する複数の突起５２ｂとが形成されている。
【００３１】
先端部アダプタ４４は、連結アダプタ４３の第１連結板５２に連結する第２連結板５３と、この第２連結板５３に連続して絶縁棒１２の先端部に連結するジョイント５４とを備えている。この第２連結板５３には、中央部に形成されたネジの挿入孔５３ａと、その一面側に突出して挿入孔５３ａから法線方向に延在する複数の突起５３ｂとが形成されている。また、ジョイント５４には、第２連結板５３の反対側から連続方向に開口した後に直交方向に屈曲する切欠５４ａが形成されている。
【００３２】
これにより、連結アダプタ４３の第１連結板５２と先端部アダプタ４４の第２連結板５３は、所謂、菊座アダプタを構成しており、互いの突起５２ｂ、５３ｂが噛み合うように対面させるとともに、切欠５２ａおよび挿入孔５３ａを貫通させたネジで締め付けることにより連結することができる。また、先端部アダプタ４４のジョイント５４には、絶縁棒１２の先端部を接近させてピン３８を切欠５４ａ内に進入させた後に一方向に回転させることにより連結することができる。
【００３３】
この場合、支持装置１３は、図７に示すように、連結アダプタ４３および先端部アダプタ４４により、側方に伸ばす絶縁棒１２の先端部でＵ字部材４１の立部４１ａが立つ状態に連結することができる。このため、バケット１００の側壁１０１に設置した保持装置１１にその絶縁棒１２が取り付けられることにより、支持装置１３は、例えば、複数本の電線Ｄが垂直に配列されている垂直配列電線路に側方からアプローチして、防護管脱着装置本体１１０が電線Ｄに脱着する防護管１０４の反対側をＵ字部材４１の立部４１ａ間に収装して底部４１ｂで受けて脱落不能に支持することができる。このときには、防護管１０４の延在方向に対してＵ字部材４１が一定角度内で回転することができ、電線Ｄに装着する防護管１０４を立部４１ａで捻じってしまうように押圧して送り出すことを妨げたり、また、電線Ｄから離脱させて引き戻す防護管１０４を収装可能な向きにできずに立部４１ａで衝止して受け取ることを妨げししまうことがなく、その防護管１０４をスムーズに移動可能に支持して脱着作業を補助することができる。
【００３４】
なお、本実施形態の支持装置１３は、図８に示すように、絶縁棒１２の中間部（途中）に連結可能にする変更アダプタ４５を着脱可能に備えており、この変更アダプタ４５は、先端部アダプタ４４と同様に形成されて、連結アダプタ４３の第１連結板５２に連結する第２連結板５３と、絶縁棒１２の中間部に巻き付けて蝶ネジ５６ａにより締め付ける締付具５６とを備えている。これにより、変更アダプタ４５は、支持装置１３を、絶縁棒１２の先端部に代わって、絶縁棒１２の例えば、基端側の把持部３７に取り付けることができる。
【００３５】
この場合、支持装置１３は、図９に示すように、連結アダプタ４３、先端部アダプタ４４および変更アダプタ４５により、絶縁棒１２の把持部３７でＵ字部材４１の立部４１ａが沿うように連結することができ、また、その絶縁棒１２の先端部にはフック５７を取り付けることにより、バケット１００に取り付けることなく、電線Ｄにフック５７を引っ掛けて絶縁棒１２を吊り下げた状態にすることができる。これにより、支持装置１３は、複数本の電線Ｄが水平に配列されている水平配列電線路に下方からアプローチして、防護管脱着装置本体１１０が電線Ｄに脱着する防護管１０４の反対側をＵ字部材４１の立部４１ａ間に収装して底部４１ｂで受けて脱落不能に支持することができる。このときには、垂直配列電線路と同様に、その防護管１０４をスムーズに移動可能に支持して脱着作業を補助することができる。
【００３６】
このように本実施形態においては、保持装置１１を係合装置１６によりバケット１００の側壁１０１に簡単に着脱して設置位置を変更することができ、垂直配列電線路の電線Ｄに脱着する防護管１０４の反対側を、その保持装置１１に取り付けた絶縁棒１２先端の支持装置１３のＵ字部材４１により支持して、その防護管１０４の脱着作業を補助することができる。この防護管１０４を支持するＵ字部材４１の位置や姿勢は、保持装置１１の三脚１４や取付台１５を調整することにより変更することができる。
【００３７】
したがって、バケット１００における保持装置１１の設置位置を容易に変えて防護管１０４の補助作業を行うことができるとともに、その設置位置を小まめに変えることなく支持装置１３のＵ字部材４１の姿勢などをその防護管１０４の向きなどに応じて変化させて補助作業を継続することもでき、また、使わない場合にはバケット１００の側壁１０１における邪魔にならない場所に保持装置１１を容易に移すことができる。この結果、狭いバケット１００内でも、防護管１０４の脱着作業などを快適に行うことができる。
【００３８】
なお、本実施形態では、Ｕ字部材４１を備える支持装置１３を連結した絶縁棒１２を保持装置１１に保持させる場合を説明するが、これに限るものではないことはいうまでもない。例えば、図１０に示すように、絶縁棒１２の先端部に連結するジョイント５４に、コ字形状で上方が開口するようにローラ部材６１〜６３を取り付けた支持装置６０を絶縁棒１２の先端部に連結して防護管１０４を支持させるようにしてもよい。この支持装置６０は、立てた状態のローラ部材６１、６２を制限部として離隔させて防護管１０４を収装可能にするとともに、ローラ部材６３を受け部として底部に位置させてその防護管１０４を受けて支持させる。また、この支持装置６０は、鍵の手形状に屈曲する回動棒６４がジョイント５４から離隔する位置でローラ部材６１を回動可能に軸支するとともに、このローラ部材６１の軸心を回動軸としてローラ部材６２、６３を回動可能に軸支する。これにより、支持装置６０は、支持装置１３と同様に、ローラ部材６１〜６３が防護管１０４の両側と底部に位置することにより、収装する防護管１０４が脱落しないように支持することができるとともに、防護管１０４の向きに応じてローラ部材６１、６２が回動することにより、その防護管１０４を掴んだり衝止したりすることなく収装・支持することができる。また、この支持装置６０では、ローラ部材６１〜６３自体も回転することにより、よりスムーズに防護管１０４を移動させることができる。
【産業上の利用可能性】
【００３９】
これまで本発明の一実施形態について説明したが、本発明は上述の実施形態に限定されず、その技術的思想の範囲内において種々異なる形態にて実施されてよいことは言うまでもない。例えば、防護管１０４の脱着作業以外を補助する道具として利用することができることはいうまでもない。また、三脚１４のうちの二脚２１、２２に係合装置１６を設けているが、これに限るものではなく、一脚のみに設けてもよいことはいうまでもない。
【図面の簡単な説明】
【００４０】
【図１】本発明に係る保持装置の一実施形態を適用した防護管の脱着作業用で用いる補助具の一例を示す図であり、その概略全体構成を示す斜視図である。
【図２】その防護管の脱着作業を行う防護管脱着装置本体を示す図であり、（ａ）はその概略平面図、（ｂ）はその一部拡大立面図である。
【図３】その補助具の保持装置を示す図であり、（ａ）はその上面図、（ｂ）はそのＡ−Ａ矢視側面図である。
【図４】その補助具の絶縁棒を示す平面図である。
【図５】その補助具の支持装置の主要部を示す図であり、（ａ）はその上面図、（ｂ）はその立面図である。
【図６】その支持装置の主要部を連結するアダプタを示す平面図である。
【図７】その補助具の利用を説明する図であり、（ａ）は電線の上方から見た一部の状態図、（ｂ）は電線の延在方向から見た一部の状態図である。
【図８】その支持装置の主要部を他の箇所に連結するためのアダプタを示す平面図である。
【図９】その補助具の利用を説明する図であり、（ａ）は電線の側方から見た一部の状態図、（ｂ）は電線の延在方向から見た一部の状態図である。
【図１０】その補助具の他の態様を示す斜視図である。
【図１１】その従来技術を示す斜視図である。
【符号の説明】
【００４１】
１０    補助具
１１    保持装置
１２    絶縁棒
１３    支持装置
１４    三脚
１５    取付台
１６    係合装置
２１〜２３    脚
２４    ロックナット
３４    螺合部材
３７    把持部
３８    ピン
４１    Ｕ字部材
４１ａ    立部
４１ｂ    底部
４２    支持部材
４２ａ    縦回転軸
４２ｃ    ピン
４３    連結アダプタ
４４    先端部アダプタ
４５    変更アダプタ
５２、５３    連結板
５２ｂ、５３ｂ    突起
５４    ジョイント
５６    締付具
５６ａ    蝶ネジ
５７    フック
６１〜６３    ローラ部材
６４    回動棒
１００    バケット
１０１    側壁
１０１ａ    縁
１０４    防護管
１１０    防護管脱着装置本体
【図１】
2005261109.tif 000003
【図２】
2005261109.tif 000004
【図３】
2005261109.tif 000005
【図４】
2005261109.tif 000006
【図５】
2005261109.tif 000007
【図６】
2005261109.tif 000008
【図７】
2005261109.tif 000009
【図８】
2005261109.tif 000010
【図９】
2005261109.tif 000011
【図１０】
2005261109.tif 000012
【図１１】
2005261109.tif 000013